(57)【要約】      （修正有）【課題】補強体を容易に取り付けることができるとともに、簡易な構造で必要な強度を確保しつつドアパネルとドアハンガーとを連結することのできるエレベーターのドア装置の提供。【解決手段】ドアパネル２の戸当り側に略コの字状の断面を有する第１の折り曲げ部２１、戸袋側に略Ｌ字状の断面を有する第２の折り曲げ部２２を形成するとともに、補強体３の戸当り側に第１の折り曲げ部２１の折り返し辺２１Ａに当接する第１の当接辺３１、戸袋側に第２の折り曲げ部２２の直交辺２２Ａに当接する第２の当接辺３２、およびドアパネル２の裏面に当接する第３の当接辺３３を設け、補強体３の各部をドアパネル２の所定箇所に当接させることで補強体３が左右方向および奥行き方向において位置決めされるようにした。また、補強体３に吊り金具を設けドアパネル２とドアハンガーとを連結するようにした。【選択図】図２
2010143688.tif 000002
【特許請求の範囲】
【請求項１】
出入口にドアハンガーを介して垂設され、水平方向に移動するドアパネルと、このドアパネルの裏面に配設される補強体とを備えたエレベーターのドア装置において、
前記ドアパネルは、戸当り側に略コの字状の断面を有する第１の折り曲げ部、および、戸袋側に略Ｌ字状の断面を有する第２の折り曲げ部が形成され、
前記補強体は、戸当り側に前記第１の折り曲げ部の折り返し辺に当接する第１の当接辺、戸袋側に前記第２の折り曲げ部の直交辺に当接する第２の当接辺、および、前記ドアパネルの裏面に当接する第３の当接辺を備えて成ることを特徴としたエレベーターのドア装置。
【請求項２】
前記補強体は、１枚の板を折り曲げて形成されることを特徴とした請求項１記載のエレベーターのドア装置。
【請求項３】
前記ドアパネルと前記補強体との接合を、皿リベットを用いて行なうことを特徴とした請求項１記載のエレベーターのドア装置。
【請求項４】
前記ドアパネルと前記ドアハンガーとの連結を、前記補強体に設けた吊り金具により行うことを特徴とした請求項１記載のエレベーターのドア装置。
【請求項５】
前記ドアパネルの上部を折り曲げ、前記ドアハンガーと前記吊り金具との間に嵌入することを特徴とした請求項４記載のエレベーターのドア装置。
【発明の詳細な説明】
【技術分野】
【０００１】
本発明は、ドアパネル、およびこのドアパネルの裏面に配設される補強体を備えたエレベーターのドア装置に関する。
【背景技術】
【０００２】
一般にエレベーターのドアは、意匠面を構成する材料を折り曲げてドアパネルとし、必要に応じてドアパネルの裏側に補強体を溶接や接着剤等によって取り付けて構成していた。また、ドアパネル上部に、別途、補強材を取り付けたり、折り曲げ部を形成したりし、ドアハンガーと連結する構造となっていた（例えば、特許文献１参照）。
【特許文献１】特開平９−４０３３６号公報（段落番号０００７〜０００９、図２）
【特許文献２】特開昭５４−１１５８５０号公報（第１頁〜第２頁、第６図）
【発明の開示】
【発明が解決しようとする課題】
【０００３】
補強材はドアパネルの所定の位置に正確に取り付ける必要があるが、前述した従来のものでは、縦補強を位置決めするための配慮は特にされておらず、したがって、その取り付けに手間と時間を要するという問題があった。
【０００４】
また、ドアハンガーとの連結部分は負荷がかかることから、別途、補強材を取り付けたり、折り曲げ部を形成したりする等、特別の構造とする必要があった。
【０００５】
本発明は、前述した従来技術における実状からなされたもので、その目的は、補強体を容易に取り付けることができるとともに、簡易な構造で必要な強度を確保しつつドアパネルとドアハンガーとを連結することのできるエレベーターのドア装置を提供することにある。
【課題を解決するための手段】
【０００６】
前記目的を達成するために、本発明の請求項１に係る発明は、出入口にドアハンガーを介して垂設され、水平方向に移動するドアパネルと、このドアパネルの裏面に配設される補強体とを備えたエレベーターのドア装置において、前記ドアパネルは、戸当り側に略コの字状の断面を有する第１の折り曲げ部、および、戸袋側に略Ｌ字状の断面を有する第２の折り曲げ部が形成され、前記補強体は、戸当り側に前記第１の折り曲げ部の折り返し辺に当接する第１の当接辺、戸袋側に前記第２の折り曲げ部の直交辺に当接する第２の当接辺、および、前記ドアパネルの裏面に当接する第３の当接辺を備えて成ることを特徴としている。
【０００７】
このように構成した本発明の請求項１に係る発明では、補強体をドアパネルの裏面に取り付ける際、第１の当接辺をドアパネルの第１の折り曲げ部の折り返し辺、第２の当接辺をドアパネルの第２の折り曲げ部の直交辺、第３の当接辺をドアパネルの裏面にそれぞれ当接させる。これによって、補強体は必然的に左右方向、および奥行き方向の位置決めがなされ、したがって、補強体を容易に取り付けることができる。
【０００８】
また、本発明の請求項２に係る発明は、前記補強体は、１枚の板を折り曲げて形成されることを特徴としている。
【０００９】
このように構成した本発明の請求項２に係る発明では、１枚の板を折り曲げて一体的に補強体を形成することにより、補強体を高精度に仕上げることができる。
【００１０】
さらに、本発明の請求項３に係る発明は、前記ドアパネルと前記補強体との接合を、皿リベットを用いて行なうことを特徴としている。
【００１１】
このように構成した本発明の請求項３に係る発明では、ドアパネルと補強体との接合を皿リベットを用いて行なうことにより、突出のない仕上がり面とすることができるとともに、ドアパネルと補強体とを強固に接合することができる。
【００１２】
さらにまた、本発明の請求項４に係る発明は、前記ドアパネルと前記ドアハンガーとの連結を、前記補強体に設けた吊り金具により行うことを特徴としている。
【００１３】
このように構成した本発明の請求項４に係る発明では、補強体に吊り金具を設けるという簡易な構造で必要な強度を確保しつつドアパネルとドアハンガーとの連結を行うことができる。
【００１４】
また、本発明の請求項５に係る発明は、前記ドアパネルの上部を折り曲げ、前記ドアハンガーと前記吊り金具との間に嵌入することを特徴としている。
【００１５】
このように構成した本発明の請求項５に係る発明では、ドアパネルの上部を折り曲げ、ドアハンガーと吊り金具との間に嵌入する構造とすることにより、上下方向に作用する力を分散して受けることができ、機器に歪みやずれが生じることを防ぐことができる。
【発明の効果】
【００１６】
本発明によれば、補強体を正確、かつ容易に位置決めすることができ、これによって、補強体取り付け作業に要する手間、および時間を低減することができる。また、簡易な構造で必要な強度を確保しつつドアパネルとドアハンガーとを連結することができ、したがって、コストの低減を図ることができる。
【発明を実施するための最良の形態】
【００１７】
以下、本発明に係るエレベーターのドア装置の実施の形態を図に基づいて説明する。
【００１８】
図１は本発明に係るエレベーターのドア装置の一実施形態を示す全体正面図、図２は図１のA−A線に沿う横断面図、図３は図２のB−B線に沿う縦断面図である。
【００１９】
エレベーターのドア装置は、図１に示すように、出入口にドアハンガー１を介して垂設されるドアパネル２と、このドアパネル２の裏面に配設される補強体３とを備えており、ドアパネル２は、その上部が、ドアハンガー１に設けたハンガーローラー４Ａ、４Ｂによりドアレール５に沿って案内され、下部が、ドアパネル２の下側に設けた下補強体６に取り付けたドアシュー７Ａ、７Ｂにより敷居８に沿って案内され水平方向に移動するようになっている。
【００２０】
ドアパネル２には、図２に示すように、戸当り側に略コの字状の断面を有する第１の折り曲げ部２１、および、戸袋側に略Ｌ字状の断面を有する第２の折り曲げ部２２が形成されている。
【００２１】
補強体３は、戸当り側に第１の折り曲げ部２１の折り返し辺２１Ａに当接する第１の当接辺３１、戸袋側に第２の折り曲げ部２２の直交辺２２Ａに当接する第２の当接辺３２、および、ドアパネル２の裏面に当接する第３の当接辺３３を備えて成っている。なお、補強体３は、１枚の板を折り曲げて形成されている。また、ドアパネル２と補強体３との接合は、皿リベット９を用いて行なわれる。さらに、補強体３の上下方向の略中間位置にあって、第１の当接辺３１と第２の当接辺３２との間に横補強体１０が架設されている。
【００２２】
補強体３の上部には、図１および図３に示すように、略コの字状の断面を有する吊り金具１１が設けられるとともに、ドアパネル２の上部が折り曲げられて第３の折り曲げ部２３が形成され、この第３の折り曲げ部２３がドアハンガー１と吊り金具１１との間に嵌入されることにより、ドアパネル２とドアハンガー１との連結が行なわれる。
【００２３】
本実施形態にあっては、補強体３をドアパネル２の裏面に取り付ける際、補強体３の第１の当接辺３１をドアパネル２の第１の折り曲げ部２１の折り返し辺２１Ａ、第２の当接辺３２をドアパネル２の第２の折り曲げ部２２の直交辺２２Ａ、第３の当接辺３３をドアパネル２の裏面にそれぞれ当接させる。これによって、補強体３は必然的に左右方向、および奥行き方向の位置決めがなされ、この状態で皿リベット９によりドアパネル２と補強体３とを接合する。
【００２４】
本実施形態によれば、補強体３を正確、かつ容易に位置決めすることができ、これによって、補強体取り付け作業に要する手間、および時間を低減することができる。また、補強体３に吊り金具１１を設けるという簡易な構造で必要な強度を確保しつつドアパネル２とドアハンガー１とを連結することができ、したがって、コストの低減を図ることができる。さらに、１枚の板を折り曲げて一体的に補強体３を形成することにより、補強体３を高精度に仕上げることができる。さらにまた、ドアパネル２と補強体３との接合を皿リベット９を用いて行なうことにより、突出のない仕上がり面とすることができるとともに、ドアパネル２と補強体３とを強固に接合することができる。また、ドアパネル２の上部を折り曲げ、ドアハンガー１と吊り金具１１との間に嵌入する構造とすることにより、上下方向に作用する力を分散して受けることができ、機器に歪みやずれが生じることを防ぐことができる。
【図面の簡単な説明】
【００２５】
【図１】本発明に係るエレベーターのドア装置の一実施形態を示す全体正面図である。
【図２】図１のA−A線に沿う横断面図である。
【図３】図２のB−B線に沿う縦断面図である。
【符号の説明】
【００２６】
１  ドアハンガー
２  ドアパネル
３  補強体
４Ａ、４Ｂ  ハンガーローラー
５  ドアレール
６  下補強体
７Ａ、７Ｂ  ドアシュー
８  敷居
９  皿リベット
１０  横補強体
１１  吊り金具
２１  第１の折り曲げ部
２１Ａ  折り返し辺
２２Ａ  直交辺
２２  第２の折り曲げ部
３１  第１の当接辺
３２  第２の当接辺
３３  第３の当接辺
【図１】
2010143688.tif 000003
【図２】
2010143688.tif 000004
【図３】
2010143688.tif 000005